(57)【要約】【課題】接着剤が積層鉄心の外形輪郭よりはみ出しても、外形打抜きの金型に接着剤が付着することがなく、接着剤による金型の汚染を回避すること。【解決手段】帯状薄鋼板における鉄心薄板の外形の一部を打ち抜く第１のパンチ３２及び第１のダイ４８と、第１のパンチ３２及び第１のダイ４８による打ち抜きによって帯状薄鋼板に画定された部分を含む接着剤塗布領域に接着剤を塗布する接着剤塗布装置６０と、第１のパンチ３２及び第１のダイ４８によって打ち抜かれた部分以外の鉄心薄板の外形を帯状薄鋼板から打ち抜く第２のパンチ３４及び第２のダイ５０とを有する。【選択図】図２
2019180856.tif 000002
【特許請求の範囲】
【請求項１】
間欠移送される帯状薄鋼板から所定の形状に打抜き形成された鉄心薄板同士を接着剤によって接着し且つ積層してなる積層鉄心の製造装置であって、
前記帯状薄鋼板における前記鉄心薄板の外形の一部を打ち抜く第１のパンチ及び第１のダイと、
前記第１のパンチ及び前記第１のダイによる打ち抜きによって前記帯状薄鋼板に画定された部分を含む接着剤塗布領域に接着剤を塗布する接着剤塗布装置と、
前記第１のパンチ及び前記第１のダイによって打ち抜かれた部分以外の前記鉄心薄板の外形を前記帯状薄鋼板から打ち抜く第２のパンチ及び第２のダイとを備えた積層鉄心の製造装置。
【請求項２】
前記接着剤塗布領域は前記鉄心薄板の外形の輪郭を含み、
前記第１のパンチ及び前記第１のダイは当該接着剤塗布領域に隣接する部分の前記鉄心薄板の外形を打ち抜く請求項１に記載の積層鉄心の製造装置。
【請求項３】
前記第２のダイは前記第２のパンチの下方に配置され、
更に、前記第２のダイの下方に配置され、前記第２のパンチ及び前記第２のダイによって打ち抜かれた前記鉄心薄板を積層状態で保持するスクイズリングを備え、
前記スクイズリングは、前記鉄心薄板に対して前記第１のパンチ及び前記第１のダイによる外形打抜きに対応する部位に、前記鉄心薄板の外形との間に空隙を画定する凹部を含んでいる請求項１または２に記載の積層鉄心の製造装置。
【請求項４】
前記帯状薄鋼板の上面に当接してストリップ作用を行うストリッパプレートを更に備え、前記ストリッパプレートは、前記帯状薄鋼板の前記接着剤塗布領域に対応する位置に凹部を含む請求項１から３の何れか一項に記載の積層鉄心の製造装置。
【請求項５】
間欠移送される帯状薄鋼板から所定の形状に打抜き形成された鉄心薄板同士を接着剤によって接着し且つ積層してなる積層鉄心の製造方法であって、
前記帯状薄鋼板における前記鉄心薄板の外形の一部を金型によって打ち抜く第１の外形打抜き工程と、
前記第１の外形打抜き工程による打ち抜きによって前記帯状薄鋼板に画定された部分を含む接着剤塗布領域に接着剤を塗布する接着剤塗布工程と、
前記接着剤塗布工程後に、前記第１の外形打抜き工程によって打ち抜かれた部分以外の前記鉄心薄板の外形を金型によって前記帯状薄鋼板から打ち抜く第２の外形打抜き工程とを有する積層鉄心の製造方法。
【請求項６】
前記接着剤塗布領域は前記鉄心薄板の外形の輪郭を含み、
第１の外形打抜き工程は当該接着剤塗布領域に隣接する部分の前記鉄心薄板の外形を打ち抜く請求項５に記載の積層鉄心の製造方法。
【請求項７】
前記接着剤塗布領域は第２の外形打抜き工程において前記鉄心薄板の外形の輪郭から外側にはみ出すものを含み、
第１の外形打抜き工程は当該接着剤塗布領域に隣接する部分の前記鉄心薄板の外形を打ち抜く請求項５に記載の積層鉄心の製造方法。
【発明の詳細な説明】
【技術分野】
【０００１】
本発明は、積層鉄心の製造装置及び製造方法に関し、更に詳細には、積層された複数の鉄心薄板を接着剤によって接着し且つ積層してなる積層鉄心の製造装置及び製造方法に関する。
【背景技術】
【０００２】
回転電機の固定子や回転子に用いられる積層鉄心として、間欠移送される帯状薄鋼板から、パンチとダイとによる複数の打抜き金型を含む順送り金型によって打ち抜かれた鉄心薄板を順次積層すると共に、隣り合う鉄心薄板同士を接着剤によって接着してなる積層鉄心が知られている（特許文献１〜３）。
【先行技術文献】
【特許文献】
【０００３】
【特許文献１】日本国特許庁公開特許公報２００１−３２１８５０
【特許文献２】日本国特許庁公開特許公報２００２−１５１３３９
【特許文献３】日本国特許庁公開特許公報２００９−１２４８２８
【発明の概要】
【発明が解決しようとする課題】
【０００４】
鉄心薄板同士を接着剤によって接着してなる積層鉄心では、安定した積層状態を確保するために、積層鉄心の外形の輪郭近くの領域まで接着層が存在することが好ましい。しかし、積層鉄心の外形の輪郭より外方に接着剤がはみ出すと、接着剤の塗布後に行われる積層鉄心の外形打抜きの金型に接着剤が付着し、金型に接着剤が固着したり、コンタミネーションの発生の原因になったりし、金型の正常な動作が損なわれる虞がある。
特に、環状のヨーク部から径方向に突出した磁極をなすティース部等の微細部分に接着層を設ける場合は、接着剤が微細部分の外形輪郭よりはみ出さないように、接着剤を微細部分に塗布することが難しく、微細部分に接着層を設けることに限界がある。【０００５】
本発明が解決しようとする課題は、接着剤が積層鉄心の外形輪郭より外側にはみ出しても、外形打抜きの金型に接着剤が付着することがなく、接着剤による金型の汚染を回避することである。
【課題を解決するための手段】
【０００６】
本発明の一つの実施形態による積層鉄心の製造装置は、間欠移送される帯状薄鋼板から所定の形状に打抜き形成された鉄心薄板同士を接着剤によって接着し且つ積層してなる積層鉄心の製造装置であって、前記帯状薄鋼板における前記鉄心薄板の外形の一部を打ち抜く第１のパンチ及び第１のダイと、前記第１のパンチ及び前記第１のダイによる打ち抜きによって前記帯状薄鋼板に画定された部分を含む接着剤塗布領域に接着剤を塗布する接着剤塗布装置と、前記第１のパンチ及び前記第１のダイによって打ち抜かれた部分以外の前記鉄心薄板の外形を前記帯状薄鋼板から打ち抜く第２のパンチ及び第２のダイとを備えている。【０００７】
この構成によれば、接着剤が積層鉄心の外形輪郭より外側にはみ出しても、第２のダイに接着剤が付着することが回避され、第２のダイが接着剤によって汚染されることがない。この汚染回避の作用は、接着剤のはみ出しが接着剤の塗布工程において生じたものと第２のパンチ及び第２のダイによる外形打抜きの工程において生じたものとの何れにおいても得られる。【０００８】
上記積層鉄心の製造装置において、前記接着剤塗布領域は前記鉄心薄板の外形の輪郭を含み、前記第１のパンチ及び前記第１のダイは当該接着剤塗布領域に隣接する部分の前記鉄心薄板の外形を打ち抜く。【０００９】
この構成によれば、接着剤塗布領域は前記鉄心薄板の外形の輪郭を含んでいても、第２のダイに接着剤が付着することが回避され、第２のダイが接着剤によって汚染されることがない。【００１０】
上記積層鉄心の製造装置において、好ましくは、前記第２のダイは前記第２のパンチの下方に配置され、更に、前記第２のダイの下方に配置され、前記第２のパンチ及び前記第２のダイによって打ち抜かれた前記鉄心薄板を積層状態で保持するスクイズリングを備え、前記スクイズリングは、前記鉄心薄板に対して前記第１のパンチ及び前記第１のダイによる外形打抜きに対応する部位に、前記鉄心薄板の外形との間に空隙を画定する凹部を含んでいる。【００１１】
この構成によれば、スクイズリングに接着剤が付着することが回避され、スクイズリングが接着剤によって汚染されることがない。【００１２】
上記積層鉄心の製造装置において、好ましくは、前記帯状薄鋼板の上面に当接してストリップ作用を行うストリッパプレートを更に備え、前記ストリッパプレートは、前記帯状薄鋼板の前記接着剤塗布領域に対応する位置に凹部を含む。【００１３】
この構成によれば、ストリッパプレートに接着剤が付着することが回避され、ストリッパプレートが接着剤によって汚染されることがない。【００１４】
本発明の一つの実施形態による積層鉄心の製造方法は、間欠移送される帯状薄鋼板から所定の形状に打抜き形成された鉄心薄板同士を接着剤によって接着し且つ積層してなる積層鉄心の製造方法であって、前記帯状薄鋼板における前記鉄心薄板の外形の一部を金型によって打ち抜く第１の外形打抜き工程と、前記第１の外形打抜き工程による打ち抜きによって前記帯状薄鋼板に画定された部分を含む接着剤塗布領域に接着剤を塗布する接着剤塗布工程と、前記接着剤塗布工程後に、前記第１の外形打抜き工程によって打ち抜かれた部分以外の前記鉄心薄板の外形を金型によって前記帯状薄鋼板から打ち抜く第２の外形打抜き工程とを有する。【００１５】
この製造方法によれば、接着剤が積層鉄心の外形輪郭より外側にはみ出しても、第２の外形打抜き工程の金型が接着剤によって汚染されることがない。【００１６】
本発明の一つの実施形態による積層鉄心の製造方法において、前記接着剤塗布領域は前記鉄心薄板の外形の輪郭を含み、前記第１の外形打抜き工程は当該接着剤塗布領域に隣接する部分の前記鉄心薄板の外形を打ち抜く。【００１７】
この製造方法によれば、接着剤塗布領域が鉄心薄板の外形の輪郭を含んでいても、第２の外形打抜き工程の金型が接着剤によって汚染されることがない。【００１８】
本発明の一つの実施形態による積層鉄心の製造方法において、前記接着剤塗布領域は第２の外形打抜き工程において前記鉄心薄板の外形の輪郭から外側にはみ出すものを含み、
第１の外形打抜き工程は当該接着剤塗布領域に隣接する部分の前記鉄心薄板の外形を打ち抜く。【００１９】
この製造方法によれば、第２の外形打抜き工程において接着剤が積層鉄心の外形輪郭より外側にはみ出ることが生じても、第２の外形打抜き工程の金型が接着剤によって汚染されることがない。
【発明の効果】
【００２０】
本発明による積層鉄心の製造装置及び製造方法によれば、接着剤が積層鉄心の外形輪郭より外側にはみ出しても、外形打抜きの金型に接着剤が付着することがなく、接着剤による金型の汚染が回避される。
【図面の簡単な説明】
【００２１】
【図１】本発明による製造装置によって製造される積層鉄心の一実施形態を示す斜視図
【図２】本発明による積層鉄心の製造装置の一実施形態を示す断面図
【図３】分割コア片における接着剤塗布領域の設定例を示す平面図
【図４】本実施形態による積層鉄心の製造工程を示す説明図
【図５】本実施形態による製造装置に用いられる第２の外形打抜き用ダイの平面図
【図６】本実施形態による製造装置に用いられるスクイズリングの平面図
【図７】本実施形態による製造装置に用いられる接着剤塗布装置の断面図
【図８】接着剤塗布装置の要部の拡大断面図
【図９】分割コア片における接着剤塗布領域の設定例を示す平面図
【図１０】他の実施形態による積層鉄心の製造工程を示す説明図
【図１１】他の実施形態による製造装置に用いられる第２の外形打抜き用ダイの平面図
【図１２】本発明による製造装置によって製造される分割コア片の他の実施形態を示す平面図
【図１３】他の実施形態による積層鉄心の製造工程を示す説明図
【図１４】他の実施形態による製造装置に用いられる第２の外形打抜き用ダイの平面図
【図１５】本発明による製造装置によって製造される鉄心薄板の他の実施形態を示す平面図
【図１６】他の実施形態による積層鉄心の製造工程を示す説明図
【図１７】他の実施形態による製造装置に用いられる第２の外形打抜き用ダイの平面図
【図１８】積層鉄心における接着剤塗布領域の設定例を示す平面図
【図１９】本発明による製造装置によって製造される鉄心薄板の他の実施形態を示す平面図
【図２０】他の実施形態による積層鉄心の製造工程を示す説明図
【図２１】他の実施形態による製造装置に用いられる第２の外形打抜き用ダイの平面図
【図２２】本発明による製造装置によって製造される鉄心薄板の他の実施形態を示す平面図
【図２３】他の実施形態による積層鉄心の製造工程を示す説明図
【図２４】他の実施形態による製造装置に用いられる第２の外形打抜き用ダイの平面図
【図２５】本発明による製造装置によって製造される鉄心薄板の他の実施形態を示す平面図
【図２６】他の実施形態による積層鉄心の製造工程を示す説明図
【図２７】他の実施形態による製造装置に用いられる第２の外形打抜き用ダイの平面図
【発明を実施するための形態】
【００２２】
本発明に係る好適な実施形態を、添付の図面を参照して説明する。
【００２３】
先ず、本実施形態による積層鉄心の製造装置及び製造方法によって製造される積層鉄心の一つの実施形態を、図１（Ａ）、（Ｂ）を参照して説明する。
【００２４】
図１（Ａ）に示されているように、本実施形態の積層鉄心１０は、固定子用のものであり、複数の分割コア片１２の組み合わせによって構成される。各分割コア片１２は、円弧状のヨーク部１４と、ヨーク部１４の中間部から径方向内方に延出したティース部１６とを含み、略Ｔ字形をしている。
【００２５】
各ヨーク部１４の一端には凸部１４Ａが形成され、各ヨーク部１４の他端には隣り合うヨーク部１４の凸部１４Ａに嵌合する凹部１４Ｂが形成されている。図１（Ｂ）に示されているように、凸部１４Ａと凹部１４Ｂとの嵌合によって隣り合うヨーク部１４が互いに結合されることにより、複数のヨーク部１４によって円環状ヨーク部が形成される。
【００２６】
各ティース部１６は、径方向に延在して巻線される径方向延在部１６Ａ及び径方向延在部１６Ａの先端の両側から各々周方向に延出した周方向延在部１６Ｂを含む。
【００２７】
次に、本実施形態による積層鉄心の製造装置及び製造方法を、図２〜図５を参照して説明する。
【００２８】
図２に示されているように、製造装置２０は、順送り金型方式によるものであり、パイロット孔打抜きステーションＩと、第１の外形打抜きステーションＩＩと、アイドルステーションＩＩＩと、接着剤塗布ステーションＩＶと、アイドルステーションＶと、第２の外形打抜きステーションＶＩとを順送り方向に順に有し、帯状薄鋼板（以下、フープ材と云う）Ｆの順送り方向の間欠移送のもとに、アイドルステーションＩＩＩ、Ｖ以外の各ステーションＩ、ＩＩ、ＩＶ、ＶＩにおいて各工程が実行される。アイドルステーションＩＩＩ、Ｖでは、フープ材Ｆの空送りが行われる。
【００２９】
製造装置２０は、プレス機械の上部ラム（不図示）の下面に固定される平板状の上型ホルダ２２と、同プレス機械の下部テーブル（不図示）の上面に上型ホルダ２２と正対して固定される平板状の下型ホルダ２４とを有する。
【００３０】
上型ホルダ２２の下部には、バッキングプレート２６及びパンチプレート２８によって、各ステーションＩ、ＩＩ、ＶＩに対応する位置に、パイロット孔打抜き用パンチ３０と、第１の外形打抜き用パンチ（第１のパンチ）３２と、第２の外形打抜き用パンチ（第２のパンチ）３４とが取り付けられている。
【００３１】
上型ホルダ２２の下方には平板状のストリッパプレート３６が吊下げボルト（不図示）によって上下方向に変位可能に取り付けられている。ストリッパプレート３６は、フープ材Ｆの上面に当接してストリップ作用を行うものであり、各パンチ３０、３２、３４が貫通するパンチ孔３８、４０、４２を含む。
【００３２】
下型ホルダ２４の上面には平板状のダイプレート４４が取り付けられている。ダイプレート４４には、各打抜きステーションＩ、ＩＩ、ＶＩに対応する位置に、パイロット孔打抜き用ダイ４６と、第１の外形打抜き用ダイ（第１のダイ）４８と、第２の外形打抜き用ダイ（第２のダイ）５０が取り付けられている。
【００３３】
パイロット孔打抜き用パンチ３０とパイロット孔打抜き用ダイ４６、第１の外形打抜き用パンチ３２と第１の外形打抜き用ダイ４８、第２の外形打抜き用パンチ３４と第２の外形打抜き用ダイ５０とは、各々対応し、各々金型セットをなしている。
【００３４】
下型ホルダ２４には第２の外形打抜き用ダイ５０と同心位置にスクイズリング５２が取り付けられている。スクイズリング５２は、第２の外形打抜き用ダイ５０のダイ孔５１に連続するスクイズ孔５３を含み、フープ材Ｆから打ち抜かれた分割コア片１２をスクイズ孔５３内に上下に積層状態で保持する。
【００３５】
ダイプレート４４の接着剤塗布ステーションＩＶに対応する位置には接着剤塗布装置６０が設けられている。接着剤塗布装置６０は、転写式のものであり、塗布台６２及びカム機構６４を含む。カム機構６４は、駆動装置６６によって駆動され、塗布台６２を上昇位置と降下位置との間に移動させる。塗布台６２は、上昇位置にある場合に、分割コア片１２の積層枚数を設定する計量時を除いた１回のプレス動作毎に接着剤Ｂ（図４参照）をフープ材Ｆの下面の複数箇所に設定された各接着剤塗布領域Ｅに転写（塗布）する。
【００３６】
各接着剤塗布領域Ｅは、図３に示されているように、丸形で、フープ材Ｆから打抜き形成された分割コア片１２について見れば、ヨーク部１４に３箇所、径方向延在部１６Ａに２箇所、周方向延在部１６Ｂの先端部に２箇所設定されている。周方向延在部１６Ｂの各接着剤塗布領域Ｅは、周方向延在部１６Ｂの先端部分の外形輪郭を含み、更に当該外形輪郭より外方にはみ出した部分を含む。このように外形輪郭を含む接着剤塗布領域Ｅは、以降、接着剤塗布領域Ｅｘとする。
【００３７】
パイロット孔打抜きステーションＩでは、パイロット孔打抜き用パンチ３０とパイロット孔打抜き用ダイ４６とによって、１回のプレス動作毎、換言するとフープ材Ｆの１回の間欠移送毎に、図４に示されているように、フープ材Ｆにパイロット孔Ｐを打ち抜くことが行われる。パイロット孔Ｐはフープ材Ｆの間欠移送方向（順送り方向）の両側（左右両側）の縁部近傍に各々に設けられる。
【００３８】
第１の外形打抜きステーションＩＩでは、第１の外形打抜き工程として、第１の外形打抜き用パンチ３２と第１の外形打抜き用ダイ４８とによってフープ材Ｆの１回の間欠移送毎に、周方向延在部１６Ｂ及びその近傍の径方向延在部１６Ａに相当する部分の外側が、図４に示されている形状をもって打ち抜かれ、フープ材Ｆに周方向延在部１６Ｂ及びその近傍の径方向延在部１６Ａの外形Ｃ１に相当する部分が形成される。
【００３９】
この打ち抜きによって、フープ材Ｆには、接着剤塗布工程前に、周方向延在部１６Ｂ及びその近傍の径方向延在部１６Ａに相当する部分の外側に空隙Ｓが形成される。尚、この打ち抜きは、ティース部１６が上下にふらつかないように、周方向延在部１６Ｂとフープ材Ｆとの繋ぐ幅細のブリッジ部Ｍを残して行われる。
【００４０】
接着剤塗布ステーションＩＶでは、接着剤塗布工程として、上昇位置にある接着剤塗布装置６０によってフープ材Ｆの下面の各接着剤塗布領域Ｅ、Ｅｘに接着剤Ｂを略円形に転写することが行われる。周方向延在部１６Ｂの接着剤塗布領域Ｅｘは、周方向延在部１６Ｂの外形輪郭より外方にはみ出した部分を含むが、はみ出した部分は空隙Ｓに位置し、当該部分には塗布面が存在しないので、接着剤塗布領域Ｅｘに対する接着剤Ｂの転写は、アイドルステーションＶに示されているように、はみ出した部分には行われず、周方向延在部１６Ｂの外形輪郭を含む領域に行われることになる。これ以外の各接着剤塗布領域Ｅに対する接着剤Ｂの転写は、各接着剤塗布領域Ｅと略同一形状に行われる。尚、図４は、接着剤塗布領域Ｅが分かるように、フープ材Ｆの下面を示している。
【００４１】
尚、所定回数の間欠移送毎に生じる鉄心薄板（分割コア片１２）の積層枚数を設定する計量時には、接着剤塗布装置６０が降下位置に降下することにより、フープ材Ｆに対する接着剤Ｂの転写は休止になる。
【００４２】
第２の外形打抜きステーションＶＩでは、第２の外形打抜き工程として、第２の外形打抜き用パンチ３４と第２の外形打抜き用ダイ５０とによって、図４に示されているように、外形Ｃ１以外のブリッジ部Ｍの部分を含む分割コア片１２の外形Ｃ２の全体を打ち抜くことが行われる。これにより、フープ材Ｆから分割コア片１２が切り離される。
【００４３】
第２の外形打抜き用ダイ５０は、上下に貫通するダイ孔５１を有し、ダイ孔５１の外縁を画定する部位に、図５に示されているように、平面視で、分割コア片１２の外形Ｃ１以外の部分の外形Ｃ２と同一形状の刃部５０Ａと、外形Ｃ１の外側の空隙Ｓに対応する位置に設けられた凹部（非刃部）５０Ｂと、ダイ孔５１に突出してブリッジ部Ｍの切断を行う刃部５０Ｃとを備えている。
【００４４】
第２の外形打抜き用パンチ３４及び第２の外形打抜き用ダイ５０は外形Ｃ１を除く分割コア片１２の外形Ｃ２を打ち抜くものでよいから、第２の外形打抜き用ダイ５０が外形Ｃ１に対応する部分は凹部５０Ｂによる空隙Ｓによって外形Ｃ１から離れている。
【００４５】
これにより、周方向延在部１６Ｂの接着剤塗布領域Ｅｘに転写された接着剤Ｂが外形Ｃ１の部分の端面に付着したり、周方向延在部１６Ｂの外縁から外方にはみ出したりしても、その接着剤Ｂが第２の外形打抜き用ダイ５０に付着することがなく、第２の外形打抜き用ダイ５０が接着剤Ｂによって汚染することがない。
【００４６】
ストリッパプレート３６の下面には、図２に示されているように、接着剤塗布領域Ｅｘに対応する位置、換言すると、周方向延在部１６Ｂに対する接着剤Ｂの転写部分に対応する位置に、凹部３６Ａが形成されている。凹部３６Ａは、周方向延在部１６Ｂに転写された接着剤Ｂが周方向延在部１６Ｂの端面に付着したり、周方向延在部１６Ｂの外縁の外方にはみ出したりしても、その接着剤Ｂがストリッパプレート３６の下面に付着することを回避するための逃げ空隙を画定する。これにより、ストリッパプレート３６が接着剤Ｂによって汚染することがない。尚、凹部３６Ａと同等の作用を行う凹部は、ストリッパプレート３６のアイドルステーションＶに対応する下面や、第２の外形打抜き用パンチ３４の先端面に形成されていてもよい。
【００４７】
フープ材Ｆから切り離された分割コア片１２は、ダイ孔５１内を降下してスクイズリング５２のスクイズ孔５３内に進入する。
【００４８】
スクイズリング５２は、上下に貫通するスクイズ孔５３を有し、スクイズ孔５３の外縁を画定する部位に、図６に示されているように、平面視で、ダイ孔５１と略同一形状であって分割コア片１２の外形Ｃ２の部分の形状より僅かに小さい形状の分割コア片保持部５２Ａと、第１の外形打抜き用パンチ３２と第１の外形打抜き用ダイ４８とによって打ち抜かれた空隙Ｓの位置に設定され且つ空隙Ｓと略同一形状の凹部５２Ｂと、分割コア片１２の外形Ｃ１に当接する突起５２Ｃとを備えている。
【００４９】
スクイズリング５２は分割コア片保持部５２Ａによって分割コア片１２をスクイズ孔５３内に保持する。スクイズ孔５３に対して次々に分割コア片１２が進入することにより、上下に隣り合う分割コア片１２同士が押し付けられて積層される。
【００５０】
隣り合う分割コア片１２同士が押し付けられることにより、各接着剤塗布領域Ｅ、Ｅｘに転写された接着剤Ｂは、図４の外形打抜きステーションＶＩに示されているように、押し広げられて所定厚さの接着層を形成する。これにより、周方向延在部１６Ｂでは、その全面に亘って接着剤Ｂによる接着層が形成され、小さい周方向延在部１６Ｂにおいても、強い接着強度が得られる。
【００５１】
スクイズリング５２に凹部５２Ｂが形成されていることにより、外形Ｃ１に対応する部分は凹部５２Ｂによって外形Ｃ１から離れている。これにより、周方向延在部１６Ｂに転写された接着剤Ｂが周方向延在部１６Ｂの外縁からその部分の端面に付着したり、外縁の外方にはみ出したりしても、その接着剤Ｂがスクイズリング５２に付着することがなく、回避され、スクイズリング５２が接着剤Ｂによって汚染することがない。
【００５２】
突起５２Ｃが分割コア片１２の外形Ｃ１に当接していることにより、凹部５２Ｂによって外形Ｃ１に対応する部分がスクイズリング５２から離れていても、周方向延在部１６Ｂがスクイズ孔５３内において上下にふらつくことがない。
【００５３】
分割コア片１２の積層体は、スクイズ孔５３の下端から外部に取り出され、必要に応じて接着剤の加熱硬化のための後処理工程が実施される。
【００５４】
次に、接着剤塗布装置６０の詳細を、図７及び図８を参照して説明する。
【００５５】
接着剤塗布装置６０の塗布台６２は、上部ブロック６２Ａと下部ブロック６２Ｂとの連結体によって構成され、下型ホルダ２４及びダイプレート４４に形成された保持孔６８に上下動可能に挿入されている。
【００５６】
塗布台６２の下部にはカム機構６４が設けられている。カム機構６４は、下部ブロック６２Ｂの下部に固定された板カムによる固定カム７４と、下部ブロック６２Ｂの下部に図７で見て左右方向に移動可能に設けられた板カムによる移動カム７６とを含む。移動カム７６は駆動装置６６に連結され、駆動装置６６によって図７で見て左右方向に往復駆動される。固定カム７４は下面に鋸歯山部７４Ａと鋸歯谷部７４Ｂとを左右方向に交互に有した鋸歯形状部を含み、移動カム７６は上面に鋸歯山部７６Ａと鋸歯谷部７６Ｂとを交互に有した鋸歯形状部を含む。
【００５７】
図７に示されているように、固定カム７４の鋸歯山部７４Ａと移動カム７６の鋸歯山部７６Ａとが整合する位置に移動カム７６がある時には、塗布台６２は上昇位置（転写位置）に位置する。上昇位置（転写位置）では、図８に示されているように、上部ブロック６２Ａの上面６２Ｃはダイプレート４４の上面４４Ａより段差αだけ下方に位置する。
【００５８】
移動カム７６が駆動装置６６によって図７で見て左側に駆動され、固定カム７４の鋸歯谷部７４Ｂと移動カム７６の鋸歯山部７６Ａとが互いに整合する位置に移動カム７６が位置すると、塗布台６２及び固定カム７４が降下（下方へ退避）し、塗布台６２が降下位置に位置する。降下位置（非転写位置）では、上部ブロック６２Ａの上面６２Ｃはダイプレート４４の上面４４Ａに対して段差αを超えた大きい段差をもって下方に位置する。
【００５９】
上部ブロック６２Ａには、接着剤溜まり部７８と、接着剤溜まり部７８から上部ブロック６２Ａの水平な上面６２Ｃまで上下方向（垂直方向）に延在して上面６２Ｃに開口した丸孔による複数の吐出孔８０とが形成されている。各吐出孔８０は接着剤塗布ステーションＩＶに位置するフープ材Ｆの各接着剤塗布領域Ｅに個別に対応する位置に配置されている。
【００６０】
上部ブロック６２Ａ内には内部ブロック８２が取り付けられている。内部ブロック８２及び下部ブロック６２Ｂには接着剤溜まり部７８に接着剤を供給する複数の接着剤供給通路８４、８６が形成されている。接着剤供給通路８６には可撓性を有する接着剤供給チューブ８８が接続されている。接着剤供給チューブ８８は接着剤供給装置９０に接続されている。接着剤供給装置９０は、接着剤を所定圧力に加圧し、加圧した接着剤Ｂを所定流量をもって接着剤供給チューブ８８及び接着剤供給通路８６、８４を介して接着剤溜まり部７８に供給する。これにより、各吐出孔８０には接着剤溜まり部７８から接着剤Ｂが常時所定圧力をもって供給される。
【００６１】
尚、本実施形態では、接着剤溜まり部７８に接着剤Ｂを供給する接着剤供給通路８４、８６が複数設けられているが、これらの個数、供給位置は、接着剤溜まり部７８の全域に亘って接着剤の圧力を適正な圧力に保つために必要な接着剤の供給量を確保するのに必要な個数、供給位置であればよい。
【００６２】
接着剤溜まり部７８の接着剤Ｂは各吐出孔８０から塗布台６２の上方に向けて吐出される。接着剤溜まり部７８における接着剤Ｂの圧力が所定値に保たれ、且つ接着剤Ｂが所定の粘性を有することにより、各吐出孔８０から外部に吐出した接着剤Ｂは、図８に示されているように、上部ブロック６２Ａの上面６２Ｃの上方に略半球状に盛り上がった盛上部Ｎを常時形成する。盛上部Ｎの高さが段差αより少し大きいことにより、塗布台６２が上昇位置（転写位置）にあり、フープ材Ｆの下面がダイプレート４４の上面４４Ａに接触する位置にフープ材Ｆが降下する時に、フープ材Ｆの下面に各吐出孔８０における接着剤Ｂの盛上部Ｎが接触し、各接着剤塗布領域Ｅに対して接着剤Ｂが略円形に転写される。
【００６３】
各接着剤塗布領域Ｅに対する接着剤Ｂの転写量は、段差α及び盛上部Ｎの大きさ（体積）によって制御することができる。盛上部Ｎの大きさは、接着剤溜まり部７８における接着剤Ｂの圧力、接着剤Ｂの粘度、吐出孔８０の内径等によって定量的に決まるから、これらの諸元の最適設定によって各接着剤塗布領域Ｅに対する接着剤Ｂの転写量を最適値に設定することができる。
【００６４】
このような吐出孔８０が用いられた転写式の接着剤の塗布では、隣り合う吐出孔８０のピッチを管体によるノズル方式のものより小さくすることができ、隣り合う接着剤塗布領域Ｅのピッチを小さくすることができる。これにより、ティース部１６が小さくても、ティース部１６の複数箇所に接着剤塗布領域Ｅを設定することができる。このことは、複数の分割コア片１２の積層接着において、ティース部１６の接着強度を向上することに寄与する。
【００６５】
塗布台６２が降下位置（非転写位置）にある時には、上部ブロック６２Ａの上面６２Ｃがダイプレート４４の上面４４Ａに対して段差αを超えた大きい段差をもって下方に位置するから、規定された大きさの接着剤Ｂの盛上部Ｎがフープ材Ｆの下面に接触することがなく、フープ材Ｆの下面に接着剤Ｂが転写されることがない。したがって、分割コア片１２の積層枚数を設定する計量時には、塗布台６２が降下位置に移動すればよい。
【００６６】
分割コア片１２の接着剤塗布領域Ｅ、Ｅｘの形状は、図９（Ａ）〜（Ｊ）に示されているように、分割コア片１２の形状に合ったＴ字形、その他、長円形、楕円形等であってもよい。また、接着剤塗布領域Ｅ、Ｅｘの配置も、図９（Ａ）〜（Ｊ）に示されているように、種々の配置が可能である。
【００６７】
図９（Ｄ）に示されている分割コア片１２の接着剤塗布領域Ｅａは外形輪郭を含まず、接着剤塗布において接着剤塗布領域Ｅａの接着剤Ｂが外形輪郭より外側にはみ出すことはないが、第２の外形打ち抜きステーションＶＩにおいて、第２の外形打抜き用パンチ３４の当接によって接着剤塗布領域Ｅａの接着剤Ｂが外形輪郭より外側にはみ出すことがある。
【００６８】
このような場合も、上述の第1の外形打ち行程が設けられることにより、第２の外形打抜き用ダイ５０に接着剤Ｂが付着することが回避され、上述の実施形態と同様に、第２の外形打抜き用ダイ５０が接着剤Ｂによって汚染されることがない。
【００６９】
次に、図９（Ｈ）に示されているように接着剤塗布領域Ｅ、Ｅｘの形状及び配置が設定された分割コア片１２の製造工程を、図１０を参照して説明する。
【００７０】
この実施形態では、分割コア片１２の外形輪郭を含む接着剤塗布領域Ｅｘが、周方向延在部１６Ｂの先端部に加えて、ヨーク部１４の凸部１４Ａ及び凹部１４Ｂにも設定されている。
【００７１】
このことに応じて、第１の外形打抜きステーションＩＩにおける第１の外形打抜き工程は、フープ材Ｆに周方向延在部１６Ｂ及びその近傍の径方向延在部１６Ａの外形Ｃ１に相当する部分を打ち抜くことに加えて、凸部１４Ａの外形Ｃ３及び凹部１４Ｂの外形Ｃ４に相当する部分を打ち抜くことが行われる。
【００７２】
この打ち抜きによって、フープ材Ｆには、接着剤塗布工程前に、周方向延在部１６Ｂ及びその近傍の径方向延在部１６Ａに相当する部分の外側に空隙Ｓが形成されると共に、凸部１４Ａ及び凹部１４Ｂに相当する部分の外側にも空隙Ｓが形成される。
【００７３】
この実施形態での第２の外形打抜き用ダイ５０は、図１１に示されているように、ダイ孔５１の外縁を画定する部位に、平面視で、分割コア片１２の外形Ｃ１、Ｃ３及びＣ４以外の外形輪郭の形状と同一形状の刃部５０Ａと、外形Ｃ１の外側の空隙Ｓに対応する位置に設定された凹部（非刃部）５０Ｂと、ダイ孔５１に突出してブリッジ部Ｍの切断を行う刃部５０Ｃと、外形Ｃ３の外側の空隙Ｓに対応する位置に設けられた凹部（非刃部）５０Ｄと、外形Ｃ４の外側の空隙Ｓに対応する位置に設けられた凹部（非刃部）５０Ｅとを備えている。
【００７４】
第２の外形打抜き用パンチ３４及び第２の外形打抜き用ダイ５０は外形Ｃ１、Ｃ３及びＣ４を除く分割コア片１２の外形Ｃ２を打ち抜くものでよいから、第２の外形打抜き用ダイ５０が外形Ｃ１、Ｃ３及びＣ４に対応する部分は各々凹部５０Ｂ、５０Ｄ、５０Ｅによる空隙Ｓによって外形Ｃ１、Ｃ３或いはＣ４から離れている。
【００７５】
これにより、この実施形態でも、周方向延在部１６Ｂの接着剤塗布領域Ｅｘに転写された接着剤Ｂが外形Ｃ１、Ｃ３、Ｃ４の部分の端面に付着したり、周方向延在部１６Ｂ、凸部１４Ａ、凹部１４Ｂの外縁から外方にはみ出したりしても、その接着剤Ｂが第２の外形打抜き用ダイ５０に付着することがなく、第２の外形打抜き用ダイ５０が接着剤Ｂによって汚染することがない。
【００７６】
次に、図１２に示されているように、接着剤塗布領域Ｅｘの形状及び配置が設定された分割コア片１２の製造工程を、図１３を参照して説明する。
【００７７】
図１２に示されている分割コア片１２はヨーク部１４の周方向の２箇所にスリット状の開口１４Ｃを有する。各開口１４Ｃとヨーク部１４の外縁との間に、分割コア片１２の外形輪郭及び開口１４Ｃの開口縁を含む接着剤塗布領域Ｅｘが設定されている。
【００７８】
図１３に示されているように、第１の外形打抜きステーションＩＩでは、第１の外形打抜き工程として、２個の開口１４Ｃ及びヨーク部１４の各接着剤塗布領域Ｅｘ部分の外縁の外側をスリット状に打ち抜かれ、フープ材Ｆにヨーク部１４の各接着剤塗布領域Ｅｘ部分の外形Ｃ５に相当する部分が形成される。この打ち抜きによってフープ材Ｆにはヨーク部１４の外側に各接着剤塗布領域Ｅｘに対応して空隙Ｓが形成される。
【００７９】
接着剤塗布ステーションＩＶでは、接着剤塗布工程として、上昇位置にある接着剤塗布装置６０によってフープ材Ｆの下面の各接着剤塗布領域Ｅｘに接着剤Ｂを略円形に転写が行われる。接着剤塗布領域Ｅｘはヨーク部１４の外形輪郭より外方及び開口１４Ｃにはみ出した部分を含むが、はみ出した部分は空隙Ｓ或いは開口１４Ｃに位置し、当該部分には塗布面が存在しないので、接着剤塗布領域Ｅｘに対する接着剤Ｂの転写は、アイドルステーションＶに示されているように、はみ出した部分には行われず、各開口１４Ｃとヨーク部１４の外縁との間の部位に行われる。
【００８０】
第２の外形打抜きステーションＶＩでは、第２の外形打抜き工程として、外形Ｃ５以外の分割コア片１２の外形Ｃ６の全体を打ち抜くことが行われる。これにより、フープ材Ｆから分割コア片１２が切り離される。
【００８１】
第２の外形打抜き工程で用いられる第２の外形打抜き用ダイ５０は、図１４に示されているように、ダイ孔５１の外縁を画定する部位に、平面視で、分割コア片１２の外形Ｃ５以外の部分の外形Ｃ６と同一形状の刃部５０Ｆと、外形Ｃ５の外側の空隙Ｓに対応する位置に設けられた凹部（非刃部）５０Ｇとを備えている。
【００８２】
第２の外形打抜き用パンチ３４及び第２の外形打抜き用ダイ５０は外形Ｃ５を除く分割コア片１２の外形Ｃ６を打ち抜くものでよいから、第２の外形打抜き用ダイ５０が外形Ｃ５に対応する部分は凹部５０Ｇによる空隙Ｓによって外形Ｃ５から離れている。
【００８３】
これにより、ヨーク部１４の接着剤塗布領域Ｅｘに転写された接着剤Ｂが外形Ｃ５の部分の端面に付着したり、ヨーク部１４の外縁から外方にはみ出したりしても、その接着剤Ｂが第２の外形打抜き用ダイ５０に付着することがなく、第２の外形打抜き用ダイ５０が接着剤Ｂによって汚染することがない。
【００８４】
次に、図１５に示されているように、接着剤塗布領域Ｅｘの形状及び配置が設定された回転子用の鉄心薄板１００の製造工程を、図１６を参照して説明する。
【００８５】
鉄心薄板１００は、図１５に示されているように、中心孔１０２を有する中心部１０４と、中心部１０４から径方向外方に４個の突極部１０６と、各突極部１０６の先端から周方向に円弧状に延在する磁極部１０８とを有し、各磁極部１０８の先端に接着剤塗布領域Ｅｘが設定されている。
【００８６】
本実施形態では、図１６に示されているように、パイロット孔打抜きステーションＩと、内形・第１の外形打抜きステーションＩＩと、アイドルステーションＩＩＩと、接着剤塗布ステーションＩＶと、アイドルステーションＶと、第２の外形打抜きステーションＶＩとが順送り方向に順に設けられている。
【００８７】
内形・第１の外形打抜きステーションＩＩでは、中心孔１０２と各突極部１０６及び各磁極部１０８の内形の打ち抜きと、第１の外形打抜き工程として、各磁極部１０８の外縁の外側をスリット状に打ち抜いて各磁極部１０８の接着剤塗布領域Ｅｘ部分の外形Ｃ７に相当する部分を形成することが行われる。この打ち抜きによってフープ材Ｆには各磁極部１０８の外側に各接着剤塗布領域Ｅｘに対応して空隙Ｓが形成される。
【００８８】
接着剤塗布ステーションＩＶでは、接着剤塗布工程として、上昇位置にある接着剤塗布装置６０によってフープ材Ｆの下面の各接着剤塗布領域Ｅｘに接着剤Ｂを略円形に転写することが行われる。接着剤塗布領域Ｅｘは磁極部１０８の外形輪郭より外方にはみ出した部分を含むが、はみ出した部分は空隙Ｓ或いは磁極部１０８の内方の内形打抜き部（空隙）に位置し、当該部分には塗布面が存在しないので、接着剤塗布領域Ｅｘに対する接着剤Ｂの転写は、アイドルステーションＶに示されているように、はみ出した部分には行われず、各磁極部１０８に行われる。
【００８９】
第２の外形打抜きステーションＶＩでは、第２の外形打抜き工程として、外形Ｃ７以外の鉄心薄板１００の外形Ｃ８の全体を打ち抜くことが行われる。これにより、フープ材Ｆから鉄心薄板１００が切り離される。
【００９０】
第２の外形打抜き工程で用いられる第２の外形打抜き用ダイ１１０は、図１７に示されているように、ダイ孔１１１の外縁を画定する部位に、平面視で、鉄心薄板１００の外形Ｃ８と同一形状の刃部１１０Ａと、外形Ｃ７の外側の空隙Ｓに対応する位置に設けられた凹部（非刃部）１１０Ｂとを備えている。
【００９１】
第２の外形打抜き用ダイ１１０は外形Ｃ７を除く鉄心薄板１００の外形Ｃ８を打ち抜くものでよいから、第２の外形打抜き用ダイ１１０が外形Ｃ７に対応する部分は凹部１１０Ｂによる空隙Ｓによって外形Ｃ７から離れている。
【００９２】
これにより、各磁極部１０８の接着剤塗布領域Ｅｘに転写された接着剤Ｂが外形Ｃ７の部分の端面に付着したり、磁極部１０８の外縁から外方にはみ出したりしても、その接着剤Ｂが第２の外形打抜き用ダイ１１０に付着することがなく、第２の外形打抜き用ダイ１１０が接着剤Ｂによって汚染することがない。
【００９３】
鉄心薄板１００の接着剤塗布領域Ｅ、Ｅｘの形状は、図１８（Ａ）、（Ｂ）に示されているように、円形以外の長円形等であってもよい。また、接着剤塗布領域Ｅの配置も、図１８（Ａ）、（Ｂ）に示されているように、種々の配置が可能である。
【００９４】
次に、図１９に示されているように、接着剤塗布領域Ｅｘの形状及び配置が設定された円環形の鉄心薄板１２０の製造工程を、図２０を参照して説明する。
【００９５】
鉄心薄板１２０は、図１９に示されているように、円環形状をしていて、周方向の複数箇所に接着剤塗布領域Ｅｘが設定されている。
【００９６】
本実施形態では、図２０に示されているように、パイロット孔打抜きステーションＩと、第１の外形打抜きステーションＩＩと、アイドルステーションＩＩＩと、内形打抜きステーションＩＶと、アイドルステーションＶと、接着剤塗布ステーションＶＩと、アイドルステーションＶＩＩと、第２の外形打抜きステーションＶＩＩＩとが順送り方向に順に設けられている。
【００９７】
第１の外形打抜きステーションＩＩでは、第１の外形打抜き工程として、各接着剤塗布領域Ｅｘに対応する部分の外側を略矩形に打ち抜いて各接着剤塗布領域Ｅｘ部分の外形Ｃ９に相当する部分を形成することが行われる。
【００９８】
この打ち抜きによって、フープ材Ｆには、接着剤塗布工程前に、鉄心薄板１２０に相当する部分の外側に各接着剤塗布領域Ｅｘに対応して空隙Ｓが形成される。
【００９９】
内形打抜きステーションＩＶでは、鉄心薄板１２０の内形１２０Ａを打ち抜くことが行われる。
【０１００】
接着剤塗布ステーションＶＩでは、接着剤塗布工程として、上昇位置にある接着剤塗布装置６０によってフープ材Ｆの下面の各接着剤塗布領域Ｅｘに接着剤Ｂを略円形に転写が行われる。接着剤塗布領域Ｅｘは鉄心薄板１２０の外形輪郭及び内形輪郭より外方にはみ出した部分を含むが、はみ出した部分は空隙Ｓ或いは鉄心薄板１２０の内形部（空隙）に位置し、当該部分には塗布面が存在しないので、接着剤塗布領域Ｅｘに対する接着剤Ｂの転写は、アイドルステーションＶＩＩに示されているように、はみ出した部分には行われず、鉄心薄板１２０に行われる。
【０１０１】
第２の外形打抜きステーションＶＩＩＩでは、第２の外形打抜き工程として、外形Ｃ９以外の鉄心薄板１２０の外形Ｃ１０全体を打ち抜くことが行われる。これにより、フープ材Ｆから鉄心薄板１２０が切り離される。
【０１０２】
第２の外形打抜き工程で用いられる第２の外形打抜き用ダイ１３０は、図２１に示されているように、ダイ孔１３１の外縁を画定する部位に、平面視で、鉄心薄板１２０の外形Ｃ１０と同一形状の刃部１３０Ａと、外形Ｃ９の外側の空隙Ｓに対応する位置に設けられた凹部（非刃部）１３０Ｂとを備えている。
【０１０３】
第２の外形打抜き用ダイ１３０は外形Ｃ９を除く鉄心薄板１２０の外形Ｃ１０を打ち抜くものでよいから、第２の外形打抜き用ダイ１３０が外形Ｃ９に対応する部分は凹部１３０Ｂによる空隙Ｓによって外形Ｃ９から離れている。
【０１０４】
これにより、接着剤塗布領域Ｅｘに転写された接着剤Ｂが外形Ｃ９の部分の端面に付着したり、鉄心薄板１２０の外縁から外方にはみ出したりしても、その接着剤Ｂが第２の外形打抜き用ダイ１３０に付着することがなく、第２の外形打抜き用ダイ１３０が接着剤Ｂによって汚染することがない。
【０１０５】
次に、図２２に示されているように、接着剤塗布領域Ｅｘの形状及び配置が設定された円環形の鉄心薄板１４０の製造工程を、図２３を参照して説明する。
【０１０６】
鉄心薄板１４０は、図２２に示されているように、円環形状の主部１４０Ａ及び主部１４０Ａの複数箇所から外方の突出した半円形の突部１４０Ｂを有し、各突部１４０Ｂに貫通孔１４２が形成されている。各突部１４０Ｂに接着剤塗布領域Ｅｘが設定されている。
【０１０７】
本実施形態では、図２３に示されているように、パイロット孔打抜きステーションＩと、貫通孔打抜きステーションＩＩと、内形打抜きステーションＩＩＩと、第１の外形打抜きステーションＩＶと、アイドルステーションＶと、接着剤塗布ステーションＶＩと、アイドルステーションＶＩＩと、第２の外形打抜きステーションＶＩＩＩとが順送り方向に順に設けられている。
【０１０８】
貫通孔打抜きステーションＩＩでは、貫通孔１４２を打ち抜くことが行われる。
【０１０９】
内形打抜きステーションＩＩＩでは、鉄心薄板１４０の内形１４０Ｃを打ち抜くことが行われる。
【０１１０】
第１の外形打抜きステーションＩＶでは、第１の外形打抜き工程として、各接着剤塗布領域Ｅｘに対応する部分、換言すると、突部１４０Ｂの外側を取り囲む形状に打ち抜いて各接着剤塗布領域Ｅｘ部分の外形Ｃ１１に相当する部分を形成することが行われる。
【０１１１】
この打ち抜きによって、フープ材Ｆには、接着剤塗布工程前に、鉄心薄板１４０に相当する部分の外側に各接着剤塗布領域Ｅｘに対応して空隙Ｓが形成される。
【０１１２】
接着剤塗布ステーションＶＩでは、接着剤塗布工程として、上昇位置にある接着剤塗布装置６０によってフープ材Ｆの下面の各接着剤塗布領域Ｅｘに接着剤Ｂを略円形に転写することが行われる。接着剤塗布領域Ｅｘは突部１４０Ｂの外形輪郭より外方にはみ出した部分及び貫通孔１４２のはみ出した部分を含むが、はみ出した部分は空隙Ｓ或いは貫通孔１４２（空隙）に位置し、当該部分には塗布面が存在しないので、接着剤塗布領域Ｅｘに対する接着剤Ｂの転写は、アイドルステーションＶＩＩに示されているように、はみ出した部分には行われず、突部１４０Ｂに行われる。
【０１１３】
第２の外形打抜きステーションＶＩＩＩでは、第２の外形打抜き工程として、外形Ｃ１１以外の鉄心薄板１４０の外形Ｃ１２全体を打ち抜くことが行われる。これにより、フープ材Ｆから鉄心薄板１４０が切り離される。
【０１１４】
第２の外形打抜き工程で用いられる第２の外形打抜き用ダイ１５０は、図２４に示されているようにダイ孔１５１の外縁を画定する部位に、平面視で、鉄心薄板１４０の外形Ｃ１２と同一形状の刃部１５０Ａと、外形Ｃ１１の外側の空隙Ｓに対応する位置に設けられた凹部（非刃部）１５０Ｂとを備えている。
【０１１５】
第２の外形打抜き用ダイ１５０は外形Ｃ１１を除く鉄心薄板１４０の外形Ｃ１２を打ち抜くものでよいから、第２の外形打抜き用ダイ１５０が外形Ｃ１１に対応する部分は凹部１５０Ｂによる空隙Ｓによって外形Ｃ１１から離れている。
【０１１６】
これにより、接着剤塗布領域Ｅｘに転写された接着剤Ｂが外形Ｃ１１の部分の端面に付着したり、突部１４０Ｂの外縁から外方にはみ出したりしても、その接着剤Ｂが第２の外形打抜き用ダイ１５０に付着することがなく、第２の外形打抜き用ダイ１５０が接着剤Ｂによって汚染することがない。
【０１１７】
次に、図２５に示されているように、接着剤塗布領域Ｅｘの形状及び配置が設定された円環形の鉄心薄板１６０の製造工程を、図２６を参照して説明する。
【０１１８】
鉄心薄板１６０は、図２５に示されているように、円環形状の主部１６０Ａ及び主部１６０Ａの複数箇所から外方の突出した矩形の突部１６０Ｂを有し、各突部１６０Ｂに接着剤塗布領域Ｅｘが設定されている。
【０１１９】
本実施形態では、図２６に示されているように、パイロット孔打抜きステーションＩと、第１の外形打抜きステーションＩＩと、内形打抜きステーションＩＩＩと、アイドルステーションＩＶと、接着剤塗布ステーションＶと、アイドルステーションＶＩと、第２の外形打抜きステーションＶＩＩとが順送り方向に順に設けられている。
【０１２０】
第１の外形打抜きステーションＩＩでは、第１の外形打抜き工程として、各接着剤塗布領域Ｅｘに対応する部分、換言すると、突部１６０Ｂの外側を取り囲む形状に打ち抜いて各接着剤塗布領域Ｅｘ部分の外形Ｃ１３相当する部分を形成することが行われる。
【０１２１】
この打ち抜きによって、フープ材Ｆには、接着剤塗布工程前に、鉄心薄板１６０に相当する部分の外側に各接着剤塗布領域Ｅｘに対応して空隙Ｓが形成される。
【０１２２】
内形打抜きステーションＩＩＩでは、鉄心薄板１６０の内形１６０Ｃを打ち抜くことが行われる。
【０１２３】
接着剤塗布ステーションＶでは、接着剤塗布工程として、上昇位置にある接着剤塗布装置６０によってフープ材Ｆの下面の各接着剤塗布領域Ｅｘに接着剤Ｂを略円形に転写することが行われる。接着剤塗布領域Ｅｘは突部１６０Ｂの外形輪郭より外方にはみ出した部分を含むが、はみ出した部分は空隙Ｓに位置し、当該部分には塗布面が存在しないので、接着剤塗布領域Ｅｘに対する接着剤Ｂの転写は、アイドルステーションＶＩに示されているように、はみ出した部分には行われず、突部１６０Ｂに行われる。
【０１２４】
第２の外形打抜きステーションＶＩＩでは、第２の外形打抜き工程として、外形Ｃ１３以外の鉄心薄板１６０の外形Ｃ１４全体を打ち抜くことが行われる。これにより、フープ材Ｆから鉄心薄板１６０が切り離される。
【０１２５】
第２の外形打抜き工程で用いられる第２の外形打抜き用ダイ１７０は、図２７に示されているようにダイ孔１７１の外縁を画定する部位に、平面視で、鉄心薄板１６０の外形Ｃ１４と同一形状の刃部１７０Ａと、外形Ｃ１３の外側の空隙Ｓに対応する位置に設けられた凹部（非刃部）１７０Ｂとを備えている。
【０１２６】
第２の外形打抜き用ダイ１７０は外形Ｃ１３を除く鉄心薄板１６０の外形Ｃ１４を打ち抜くものでよいから、第２の外形打抜き用ダイ１７０が外形Ｃ１３に対応する部分は凹部１７０Ｂによる空隙Ｓによって外形Ｃ１３から離れている。
【０１２７】
これにより、接着剤塗布領域Ｅｘに転写された接着剤Ｂが外形Ｃ１３の部分の端面に付着したり、突部１６０Ｂの外縁から外方にはみ出したりしても、その接着剤Ｂが第２の外形打抜き用ダイ１７０に付着することがなく、第２の外形打抜き用ダイ１７０が接着剤Ｂによって汚染することがない。
【０１２８】
以上、本発明を、その好適な実施形態について説明したが、本発明はこのような実施形態により限定されるものではなく、本発明の趣旨を逸脱しない範囲で適宜変更可能である。
【０１２９】
上述の実施形態では、フープ材Ｆに対する接着剤Ｂの塗布をフープ材Ｆの下側からフープ材Ｆの下面に行う実施形態を示したが、フープ材Ｆの上側からフープ材Ｆの上面に接着剤Ｂの塗布が行われてもよい。フープ材Ｆに対する接着剤Ｂの塗布は、転写に限られることなく、ジェット方式による塗布、ディスペンサによる塗布、その他、シルクスクリーン方式、ロール転写方式、多孔質部材等を用いたスタンプ方式による塗布でもよく、接触式及び非接触式の何れであってもよい。
【０１３０】
また、上記実施形態に示した構成要素は必ずしも全てが必須なものではなく、本発明の趣旨を逸脱しない限りにおいて適宜取捨選択することが可能である。
【符号の説明】
【０１３１】
１０        ：積層鉄心
１２        ：分割コア片（鉄心薄板）
１４        ：ヨーク部
１４Ａ      ：凸部
１４Ｂ      ：凹部
１６        ：ティース部
１６Ａ      ：径方向延在部
１６Ｂ      ：周方向延在部
２０        ：製造装置
２２        ：上型ホルダ
２４        ：下型ホルダ
２６        ：バッキングプレート
２８        ：パンチプレート
３０        ：パイロット孔打抜き用パンチ
３４        ：第２の外形打抜き用パンチ（第２のパンチ）
３６        ：ストリッパプレート
３６Ａ      ：凹部
３８        ：パンチ孔
４０        ：パンチ孔
４２        ：パンチ孔
４４        ：ダイプレート
４４Ａ      ：上面
４６        ：パイロット孔打抜き用ダイ
４８        ：第１の外形打抜き用ダイ（第１のダイ）
５０        ：第２の外形打抜き用ダイ（第２のダイ）
５０Ａ      ：刃部
５０Ｂ      ：凹部
５０Ｃ      ：刃部
５０Ｄ      ：凹部
５０Ｅ      ：凹部
５０Ｆ      ：刃部
５０Ｇ      ：凹部
５１        ：ダイ孔
５２        ：スクイズリング
５２Ａ      ：分割コア片保持部
５２Ｂ      ：凹部
５３        ：スクイズ孔
６０        ：接着剤塗布装置
６２        ：塗布台
６２Ａ      ：上部ブロック
６２Ｂ      ：下部ブロック
６２Ｃ      ：上面
６４        ：カム機構
６６        ：駆動装置
６８        ：保持孔
７４        ：固定カム
７４Ａ      ：鋸歯山部
７４Ｂ      ：鋸歯谷部
７６        ：移動カム
７６Ａ      ：鋸歯山部
７６Ｂ      ：鋸歯谷部
７８        ：接着剤溜まり部
８０        ：吐出孔
８２        ：内部ブロック
８４        ：接着剤供給通路
８６        ：接着剤供給通路
８８        ：接着剤供給チューブ
９０        ：接着剤供給装置
１００      ：鉄心薄板
１０２      ：中心孔
１０４      ：中心部
１０６      ：突極部
１０８      ：磁極部
１１０      ：第２の外形打抜き用ダイ
１１０Ａ    ：刃部
１１０Ｂ    ：凹部
１１１      ：ダイ孔
１２０      ：鉄心薄板
１２０Ａ    ：内形
１３０      ：第２の外形打抜き用ダイ
１３０Ａ    ：刃部
１３０Ｂ    ：凹部
１３１      ：ダイ孔
１４０      ：鉄心薄板
１４０Ａ    ：主部
１４０Ｂ    ：突部
１４０Ｃ    ：内形
１４２      ：貫通孔
１５０      ：第２の外形打抜き用ダイ
１５０Ａ    ：刃部
１５０Ｂ    ：凹部
１５１      ：ダイ孔
１６０      ：鉄心薄板
１６０Ａ    ：主部
１６０Ｂ    ：突部
１６０Ｃ    ：内形
１７０      ：第２の外形打抜き用ダイ
１７０Ａ    ：刃部
１７０Ｂ    ：凹部
１７１      ：ダイ孔
Ｂ          ：接着剤
Ｃ１〜Ｃ１４：外形
Ｅ          ：接着剤塗布領域
Ｅｘ        ：接着剤塗布領域
Ｆ          ：フープ材
Ｍ          ：ブリッジ部
Ｎ          ：盛上部
Ｐ          ：パイロット孔
Ｓ          ：空隙
α          ：段差
【図１】
2019180856.tif 000003
【図２】
2019180856.tif 000004
【図３】
2019180856.tif 000005
【図４】
2019180856.tif 000006
【図５】
2019180856.tif 000007
【図６】
2019180856.tif 000008
【図７】
2019180856.tif 000009
【図８】
2019180856.tif 000010
【図９】
2019180856.tif 000011
【図１０】
2019180856.tif 000012
【図１１】
2019180856.tif 000013
【図１２】
2019180856.tif 000014
【図１３】
2019180856.tif 000015
【図１４】
2019180856.tif 000016
【図１５】
2019180856.tif 000017
【図１６】
2019180856.tif 000018
【図１７】
2019180856.tif 000019
【図１８】
2019180856.tif 000020
【図１９】
2019180856.tif 000021
【図２０】
2019180856.tif 000022
【図２１】
2019180856.tif 000023
【図２２】
2019180856.tif 000024
【図２３】
2019180856.tif 000025
【図２４】
2019180856.tif 000026
【図２５】
2019180856.tif 000027
【図２６】
2019180856.tif 000028
【図２７】
2019180856.tif 000029
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
間欠移送される帯状薄鋼板から所定の形状に打抜き形成された鉄心薄板同士を接着剤によって接着し且つ積層してなる積層鉄心の製造装置であって、
前記帯状薄鋼板における前記鉄心薄板の外形の一部を打ち抜く第１のパンチ及び第１のダイと、
前記第１のパンチ及び前記第１のダイによる打ち抜きによって前記帯状薄鋼板に画定された部分を含む接着剤塗布領域に接着剤を塗布する接着剤塗布装置と、
前記第１のパンチ及び前記第１のダイによって打ち抜かれた部分以外の前記鉄心薄板の外形を前記帯状薄鋼板から打ち抜く第２のパンチ及び第２のダイとを備え、前記第２のダイは前記第１のパンチ及び前記第１のダイによって打ち抜かれる前記鉄心薄板の前記外形の前記一部に対応する部位に、平面視で前記外形の前記一部との間に空隙を画定する凹部を備えている積層鉄心の製造装置。
【請求項２】
前記接着剤塗布領域は前記鉄心薄板の外形の輪郭を含み、
前記第１のパンチ及び前記第１のダイは当該接着剤塗布領域に隣接する部分の前記鉄心薄板の外形を打ち抜く請求項１に記載の積層鉄心の製造装置。
【請求項３】
前記第２のダイは前記第２のパンチの下方に配置され、
更に、前記第２のダイの下方に配置され、前記第２のパンチ及び前記第２のダイによって打ち抜かれた前記鉄心薄板を積層状態で保持するスクイズリングを備え、
前記スクイズリングは、前記鉄心薄板に対して前記第１のパンチ及び前記第１のダイによる外形打抜きに対応する部位に、前記鉄心薄板の外形との間に空隙を画定する凹部を含んでいる請求項１または２に記載の積層鉄心の製造装置。
【請求項４】
前記帯状薄鋼板の上面に当接してストリップ作用を行うストリッパプレートを更に備え、前記ストリッパプレートは、前記帯状薄鋼板の前記接着剤塗布領域に対応する位置に凹部を含む請求項１から３の何れか一項に記載の積層鉄心の製造装置。
【請求項５】
間欠移送される帯状薄鋼板から所定の形状に打抜き形成された鉄心薄板同士を接着剤によって接着し且つ積層してなる積層鉄心の製造方法であって、
前記帯状薄鋼板における前記鉄心薄板の外形の一部を金型によって打ち抜く第１の外形打抜き工程と、
前記第１の外形打抜き工程による打ち抜きによって前記帯状薄鋼板に画定された部分を含む接着剤塗布領域に接着剤を塗布する接着剤塗布工程と、
前記接着剤塗布工程後に、前記第１の外形打抜き工程によって打ち抜かれた部分以外の前記鉄心薄板の外形を金型によって前記帯状薄鋼板から打ち抜く第２の外形打抜き工程とを有する積層鉄心の製造方法。
【請求項６】
前記接着剤塗布領域は前記鉄心薄板の外形の輪郭を含み、
第１の外形打抜き工程は当該接着剤塗布領域に隣接する部分の前記鉄心薄板の外形を打ち抜く請求項５に記載の積層鉄心の製造方法。
【請求項７】
前記接着剤塗布領域は第２の外形打抜き工程において前記鉄心薄板の外形の輪郭から外側にはみ出すものを含み、
第１の外形打抜き工程は当該接着剤塗布領域に隣接する部分の前記鉄心薄板の外形を打ち抜く請求項５に記載の積層鉄心の製造方法。
【国際調査報告】
2019180856.tif 000030
2019180856.tif 000031
2019180856.tif 000032
2019180856.tif 000033